(57)【特許請求の範囲】
【請求項１】
外周部に形成された糸導入孔と前記糸導入孔に釣糸を導くための糸導入ガイドとを有する糸導入部が設けられた竿体を含み振出形式で連結された複数の竿体と、前記竿体の先端部を保護するトップカバーとが備えられた中通し竿であって、
前記トップカバーは、
竿元側の後端部及びその一方側の側部の所定の範囲が開口しており且つその周囲が袋状であり、収納状態の前記中通し竿の穂先から前記糸導入部までを覆うカバー部と、
前記カバー部を前記中通し竿の竿体に装着するために装着部と、
を有する、
中通し竿。
【請求項２】
前記カバー部の先端部内側には前記中通し竿の穂先を保護するための保護部材が設けられている、
請求項１記載の中通し竿。
【請求項３】
前記カバー部は弾力性を有する布製部材で形成されている、
請求項１又は２に記載の中通し竿。
【請求項４】
前記装着部は前記カバー部の一部を前記中通し竿に縛り付けるためのベルトを有している、
請求項１から３のいずれかに記載の中通し竿。
【請求項５】
前記トップカバーは、前記カバー部の外側に装着され前記中通し竿に装着された釣り糸の先端に付けられた重りを係止可能な重り係止部をさらに有する、
請求項１から４のいずれかに記載の中通し竿。
【発明の詳細な説明】
【０００１】
【発明の属する技術分野】
本発明は、外周部に糸導入部を有する竿体を含む複数の竿体が振出形式で連結された中通し竿に関する。
【０００２】
【従来の技術】
振出竿は、元竿と、穂先竿と、元竿と穂先竿との間に設けられた複数の中間竿とから構成されている。そして、中間竿及び穂先竿は元竿内部に収納できるようになっている。このような振出竿においては、収納状態における竿先を保護するために、トップカバーが用意されている。
【０００３】
例えば実開昭６２−１３０４６９号公報に示されたトップカバーでは、収納状態の穂先部分が収納されるキャップ状の穂先収納部と、この穂先収納部から竿元側に延び元竿に取り付けられる竿取付部とを有している。そして、竿取付部がゴムバンドによって元竿に巻き付けられるようになっている。ここでは、キャップ状の穂先収納部によって、収納状態の穂先部分が保護される。
【０００４】
【発明が解決しようとする課題】
最近、竿体の内部に釣り糸を通す中通し竿が用いられている。中通し竿は、並継ぎ形式及び振出形式のものがある。振出形式の中通し竿は、釣り糸の挿通経路を内部に有する複数の竿体を有しており、穂先側の竿体は、それぞれその竿元側の竿体内部に収納可能となっている。また、一般的に元竿の外周部には、内部の糸挿通経路に釣り糸を導くための糸導入孔が形成されている。
【０００５】
このような中通し竿においても、前述のようなトップカバーが用いられるが、従来の中通し竿用のトップカバーでは、穂先部分しか保護されない。中通し竿においては、前述のように、竿体の外周部に糸導入孔が開放しているので、この孔から異物が竿体内部に侵入しやすい。また、中通し竿においては、糸導入孔に釣り糸を適切に導入するために、糸導入ガイドが設けられる場合が多い。この糸導入ガイドは、糸導入孔の近傍に設けられ、外方に突出している。このため、持ち運び時に、糸導入ガイドが他のものに当たり、変形したり傷ついたりするおそれがある。このため、中通し竿においては、糸導入孔及び糸導入ガイドを含む糸導入部を穂先部分と同様に保護することが望まれている。
【０００６】
さらに、中通し竿においては、釣り糸を竿体内部に収納したまま竿全体を収納する場合が多く、このときに釣り糸の先端に装着されている重りが持ち運び時に邪魔になる。
【０００７】
本発明の課題は、中通し竿において、穂先部分とともに糸導入部をも併せて保護できるようにすることにある。
【０００８】
本発明の別の課題は、中通し竿を収納した状態で、持ち運び時に重り等が邪魔にならないようにすることにある。
【０００９】
【課題を解決するための手段】
発明１に係る中通し竿は、外周部に形成された糸導入孔と糸導入孔に釣糸を導くための糸導入ガイドとを有する糸導入部が設けられた竿体を含み振出形式で連結された複数の竿体と、先端部を保護するトップカバーとが備えられた中通し竿であって、トップカバーは、収納状態の中通し竿の穂先から糸導入部までを覆うカバー部と、カバー部を中通し竿の竿体に装着するために装着部とを備えている。また、カバー部は、竿元側の後端部及びその一方側の側部の所定の範囲が開口しており且つその周囲が袋状である。
【００１０】
この中通し竿では、カバー部が中通し竿の穂先から糸導入部までを保護している。このため、糸導入部に設けられた孔がカバーされ、竿体内部に異物が侵入するのを抑えることができる。また、糸導入部に設けられた糸導入ガイドも保護されるので、持ち運び時に糸導入ガイドが他のものに衝突して変形したり損傷するのを抑えることができる。
【００１１】
発明２に係る中通し竿は、発明１の中通し竿において、カバー部の先端部内側には中通し竿の穂先を保護するための保護部材が設けられている。中通し竿の収納状態において、穂先竿が飛び出ることがあるが、この場合にも、保護部材によって穂先が保護される。また、穂先が飛び出た状態で収納されている場合、この飛び出した部分を保護部材によって保護することにより、穂先が他のものに衝突して損傷するのを避けることができる。
【００１２】
発明３に係る中通し竿は、発明１又は２の中通し竿において、カバー部は弾力性を有する布製部材で形成されている。ここでは、布製部材がクッション材として機能する。また、布製部材は変形自在であるので、種々の大きさの中通し竿に適用可能である。
【００１３】
発明４に係る中通し竿は、発明１から３のいずれかの中通し竿において、装着部はカバー部の一部を中通し竿に縛り付けるためのベルトを有している。この場合は、種々の外径の中通し竿に対して適用可能である。
【００１４】
発明５に係る中通し竿は、発明１から４のいずれかの中通し竿において、トップカバーは重り係止部をさらに有する。重り係止部は、カバー部の外側に装着され、中通し竿に装着された釣り糸の先端に付けられた重りを係止可能である。ここでは、重りを係止部に固定できるので、中通し竿を持ち運びする際に重りが邪魔にならない。
【００１５】
【発明の実施の形態】
図１において、本発明の一実施形態によるトップカバー１は、振出形式で連結された収納状態の中通し竿１０の糸導入部１２を含む先端部分を保護するものである。なお、中通し竿１０の糸案内部１２は、竿体の外周部の一部に形成された糸導入孔１２ａと、リール（図示せず）からの釣り糸を糸導入孔２ａに導くための糸導入ガイド１２ｂとから構成されている。糸導入ガイド１２ｂは、竿体の外周側に突出しており、硬質リング等を有している。そして、その竿先側の一部が糸導入孔１２ａの上部に重なるように、かつ他の部分は糸導入孔１２ａの竿元側に位置するように装着されている。
【００１６】
トップカバー１は、細長い袋状のカバー本体２と、カバー本体２の後部を縛って中通し竿１０に固定するための竿固定ベルト３と、釣り糸の先端に装着された海草テンビン等の重り４を固定するための重り固定テープ５とを備えている。
【００１７】
カバー本体２は、ナイロン等の合成繊維布地をカットし、その周囲を縁取り縫製して袋状にしたものである。そして、竿元側の後端部及びその一方側の側部の所定の範囲が開口している。このカバー本体２は、収納状態の中通し竿１０のトップガイド１１から糸案内部１２までを覆う長さを有しており、その竿元側の一部は、糸案内ガイド１２ｂを覆うことが可能なように、他の部分に比較してその幅（長手方向と交差する方向の寸法）が太くなっている。カバー本体２の先端内部には、穂先を保護するためのクッション用のスポンジ６が装着されている。
【００１８】
竿固定ベルト３は、クロロプレンゴム製のテープであり、中通し竿１０を２周以上巻回可能な長さを有している。竿固定ベルト３は、カバー本体２の竿元側の端部に縫製により固定されている。この固定部分には、図２に示すように、面ファスナーの一方の面からなる係止テープ７ａが縫製により固定されている。また、竿固定ベルト３のテープ７ａ取付面と逆側の面には先端部と中間部とに面ファスナーの他方の面からなる係止テープ７ｂ，７ｃが縫製により固定されている。
【００１９】
重り固定テープ５は、カバー本体２の長手方向の略中央部に縫製により固定されており、その部分を１周半以上巻回可能な長さを有している。重り固定テープ５は、全長のいずれでも表裏面を係止可能なフリーテープであり、種々の形状の重り４を固定することが可能である。
次に、トップカバー１の装着手順について説明する。
【００２０】
まず、中通し竿１０を収納状態にする。このとき、釣り糸はトップガイド１１から外部に出ているが、この外部に出ている部分の長さを、トップガイド１１から糸案内部１２までの長さよりもさらに長めにしておく。この状態で、トップカバー１を穂先側から被せ、穂先部分とともに糸導入孔１２ａ及び糸導入ガイド１２ｂを覆う。そして、竿固定ベルト３を中通し竿１０の外周に巻き付け、係止テープ７ｃで一度固定する。次に、釣り糸を穂先側に折返し、重り４を重り固定テープ５でトップカバー１に固定する。この状態で、重り４の天秤部４ａを、竿固定テープ３を再度巻き付け、係止テープ７ｂで固定する。
【００２１】
このようにして中通し竿１０にトップカバー１を装着することで、穂先だけでなく糸導入ガイド１２ｂも保護できる。また、糸導入孔１２ａがカバーされるので、異物が竿体内部に侵入するのを抑えることができる。さらに、持ち運び時に重り４を固定でき、取り扱いが容易になる。
【００２２】
〔他の実施形態〕
（ａ）前記実施形態では、カバー本体２を布製で形成したが、樹脂等の他の材料により形成してもよい。
【００２３】
（ｂ）前記実施形態では、穂先を保護するための部材としてスポンジを装着したが、特にカバー本体を布製とする場合は、樹脂等の保護部材で外殻を構成し、その内部の穂先が当たる部分にスポンジ等のクッション部材を装着しても良い。この場合は、カバー本体が他のものにあたっても、樹脂等の保護部材によって穂先が損傷するのを防止できる。
【００２４】
（ｃ）前記実施形態では、中通し竿の糸導入ガイドがブロック状の部材で構成されている場合について説明したが、リング状の部材がワイヤ等の取付部材で装着されているような外付けガイドを有する中通し竿にも、本発明を同様に適用できる。
【００２５】
【発明の効果】
以上のように本発明では、カバー部が中通し竿の穂先から糸導入部までを保護しているので、糸導入孔がカバーされ、竿体内部に異物が侵入するのを抑えることができる。また、糸導入ガイドがカバーされるので、持ち運び時に糸導入ガイドを傷つけるのを防止できる。また、重り係止部を設けたので、収納状態で持ち運びする際に重りが邪魔にならない。
【図面の簡単な説明】
【図１】  本発明の一実施形態によるトップカバーが装着された中通し竿の穂先部を示す斜視図。
【図２】  前記トップカバーの正面図。
【符号の説明】
１  トップカバー
２  カバー本体
４  重り
５  重り係止テープ
６  クッション用スポンジ（保護部材）
１０  中通し竿
１２  糸導入部
【図１】
0003752319.tif 000002
【図２】
0003752319.tif 000003